(57)【要約】      （修正有）【課題】転写ヘッドの出入れを容易に、且つ、確実に行うことができる塗膜転写具を提供すること。【解決手段】転写テープの繰出しリールと、塗膜を被転写体に押圧して転写する転写ヘッド３１と、転写後の基材テープを巻取る巻取りリール及び両リールを連動させる連動機構とを具えた内部カセット３０がケース１１に収納される塗膜転写具１０において、繰出し筒５０の回転により、突起３７が螺旋カム５３に沿って前進してケース１１先端から転写ヘッド３１が繰出され、弾性体４０の弾性反発力により突起３７が係止部５４に係止して転写可能な状態が保持されるとともに、繰出し筒５０のさらなる回転により、突起３７が係止部５４から脱出して前記転写可能な状態が解除され、突起３７が螺旋カム５３に沿って後退して転写ヘッド３１がケース１１内部に収納される。【選択図】図１
2006289635.tif 000002
【特許請求の範囲】
【請求項１】
基材テープに塗膜がコーティングされた転写テープを繰出す繰出しリールと、前記塗膜を被転写体に押圧して転写する転写ヘッドと、転写後の基材テープを巻取る巻取りリール及び両リールを連動させる連動機構とを具えた内部カセットがケースに収納される塗膜転写具において、
前記内部カセットを前記転写ヘッドの反突出方向へ付勢する弾性体と、前記内部カセットの繰出し筒とを有し、
前記内部カセットは突起を具え、前記繰出し筒の内周に前記突起を案内する螺旋カムと、前記突起を係止させる係止部が設けられ、
前記繰出し筒の回転により、前記突起が前記螺旋カムに沿って前進して前記ケース先端から前記転写ヘッドが繰出され、前記弾性体の弾性反発力により前記突起が前記係止部に係止することにより転写可能な状態が保持されるとともに、前記繰出し筒のさらなる回転により、前記突起が前記係止部から脱出して前記転写可能な状態が解除され、前記突起が前記螺旋カムに沿って後退して前記転写ヘッドが前記ケース内部に収納されることを特徴とする、
塗膜転写具。
【請求項２】
前記内部カセットが交換可能である、請求項１の塗膜転写具。
【請求項３】
前記内部カセットが幅方向にほぼ対称形状である、請求項２の塗膜転写具。
【発明の詳細な説明】
【技術分野】
【０００１】
本発明は、転写テープ基材の表面にコーティングされた修正用塗膜、接着用粘着剤、装飾用塗膜、マーカー用塗膜等を被転写面に転写する塗膜転写具に関する。
【背景技術】
【０００２】
従来、塗膜転写具の転写ヘッドを保護する手段としてキャップ式が用いられてきたが、キャップ式のものは、取外し、取付けの際に手間が掛かる、取外したときに紛失しやすいといった問題があった。
転写ヘッドを保護するための他の手段としては、スライド式や繰出し式が提案されている（例えば、特許文献１、２、３を参照。）。
特許文献１の装置は、ケース本体に対して摺動可能な保護筒を具え、保護筒を転写ヘッドの先端方向へスライドさせることにより、転写ヘッドを覆って保護する機構を有する。
特許文献２の塗膜転写具は、転写ヘッド前端を露出させたケース本体の前端部に筒状の保護カバーが前後方向に摺動自在に設けられ、この保護カバーを回転させることにより、保護カバーに形成された螺旋溝にケース本体内部の突起が案内され、ケース先端から転写ヘッドの出し入れが行われる構成になっている。
また、特許文献３の塗膜転写具は、ケース本体と内部カセットと回動栓で構成され、回動栓を回転させることにより、回動栓の螺状突起がケース本体の後端部に設けられた螺状溝に螺合され、ケース本体内部で内部カセットが進退して転写ヘッドの出し入れが行われる構成になっている。
【特許文献１】特開平１０−１１９４８８号公報
【特許文献２】特開２００５−１８５０号公報
【特許文献３】実用新案登録第３１０５９６８号公報
【発明の開示】
【発明が解決しようとする課題】
【０００３】
しかし、特許文献１のスライド式の転写装置の場合、転写ヘッドが保護筒内部に収納されている状態のときに、保護筒の係止が安定せずに転写ヘッドが露出することがあり、また、転写を行う際には、保護筒部分を押さえる力によって保護筒がスライドしてしまい、転写ヘッドが保護筒内部に隠れて正常な転写が行われないという不具合がある。
特許文献２の塗膜転写具の場合、転写ヘッドをケース先端から繰出し転写可能な状態を保持するために、まず保護カバーを回転させて第１係止溝から突起を脱出させ、次いで保護カバーを反対方向に回転させて螺旋溝に沿って突起を移動させ、さらに反対方向に回転させて突起を第２係止溝に進入させるという複雑な操作を行わなければならず、操作性が悪いという問題がある。また、転写ヘッドが保護カバー内部に収納されている状態のときに、ケース本体と保護カバーの接触距離が短くなるため、連結部が破損しやすくなるという不具合もある。
特許文献３の塗膜転写具では、交換カセットと回動栓の連結が鉤状構造であるため、カセット交換時に交換カセットの鉤状突起を変形させて回動栓の鉤状溝から取外す煩わしさがある。また、転写ヘッドがケース本体に収納された状態では回動栓の螺状突起が露出するため、外観形状の見栄えが悪いという問題がある。  また、従来の塗膜転写具の内部カセットは、装着方向が一方向に限定されているものが主流であり、内部カセットの交換作業が行い難いという問題がある。
【０００４】
本発明は、上記の点に鑑み、転写ヘッドの出入れを容易に、且つ、確実に行うことができる塗膜転写具を提供することを目的とする。
【課題を解決するための手段】
【０００５】
本発明は、基材テープに塗膜がコーティングされた転写テープを繰出す繰出しリールと、前記塗膜を被転写体に押圧して転写する転写ヘッドと、転写後の基材テープを巻取る巻取りリール及び両リールを連動させる連動機構とを具えた内部カセットがケースに収納された塗膜転写具において、
前記内部カセットを前記転写ヘッドの反突出方向へ付勢する弾性体と、前記内部カセットの繰出し筒とを有し、前記内部カセットは突起を具え、前記繰出し筒の内周に前記突起を案内する螺旋カムと、前記突起を係止させる係止部が設けられ、前記繰出し筒の回転により、前記突起が前記螺旋カムに沿って前進して前記ケース先端から前記転写ヘッドが繰出され、前記弾性体の弾性反発力により前記突起が前記係止部に係止することにより転写可能な状態が保持されるとともに、前記繰出し筒のさらなる回転により、前記突起が前記係止部から脱出して前記転写可能な状態が解除され、前記突起が前記螺旋カムに沿って後退して前記転写ヘッドが前記ケース内部に収納されることを特徴とする塗膜転写具によって、前記の課題を解決した。
【発明の効果】
【０００６】
本発明によれば、ケース先端から転写ヘッドを繰出す操作と、ケース内に転写ヘッドを収納する操作が繰出し筒の回転のみでできるため、転写ヘッドの出入れを容易に行うことができる。
また、弾性体の弾性反発力によって、突起が螺旋カムの係止部に確実に係止するため、転写作業中にケース内に転写ヘッドが後退して転写作業が中断してしまうということがなく、転写作業を確実に行うことができる。また、塗膜転写具を使用しないときでも、弾性体の弾性反発力によって内部カセットが常に後方へ付勢されているので、ケース先端から転写ヘッドが露出することがない。
さらに、繰出し構造が外から見えないため、従来の繰出式の塗膜転写具と比べてデザイン性に優れる。
請求項２の発明によれば、内部カセットを交換してケースを再利用できるので、廃棄するプラスチックの量を削減することができる。
さらに請求項３の構成によれば、内部カセットの表と裏が逆でもケースに装着することができるため、内部カセットの交換作業が容易になる。
【発明を実施するための最良の形態】
【０００７】
以下に、本発明の塗膜転写具の第１実施形態を図面に基づいて説明する。
図１は、塗膜転写具１０の分解斜視図であり、図２（ａ）は塗膜転写具１０に用いられる内部カセット３０の正面図及び図２（ｂ）は内部カセット３０の側面図である。
図１に示すように、この塗膜転写具１０は、前後両端に開口部１２及び１３が設けられた中空のケース本体１１ａ、ケース蓋体１１ｂ、ケース内に収納される内部カセット３０、弾性体４０及び内部カセット３０の繰出し筒５０からなる。図２に示すように、内部カセット３０は、先端に転写ヘッド３１を具え、後端部３６には後述する螺旋カムに案内される突起３７が２箇所に設けられている。なお、本明細書中では、ケース本体１１ａの係合部１４がケース蓋体１１ｂの係合部１５と係合して一体になったものをケース１１と呼ぶことにする。
【０００８】
図３（ａ）は、塗膜転写具１０の転写ヘッド３１がケース本体１１ａの先端開口部１２から突出した状態、すなわち、使用時の状態を示す斜視図であり、図３（ｂ）は図３（ａ）の上面図、図３（ｃ）は図３（ｂ）のｃ−ｃ線断面図である。
図４（ａ）は、塗膜転写具１０の転写ヘッド３１がケース１１内部に収められた状態、すなわち、使用しない状態を示す斜視図であり、図４（ｂ）は図４（ａ）の上面図、図４（ｃ）は図４（ｂ）のｃ−ｃ線断面図である。
図５（ａ）は繰出し筒５０を正面から見た透視図、図５（ｂ）は繰出し筒５０の底面図、図５（ｃ）は図５（ｂ）のｃ−ｃ線断面図であり、図５（ｄ）は図５（ｂ）のｄ−ｄ線断面図である。なお、図５（ｃ）及び図５（ｄ）は、便宜上、図５（ａ）と上下の向きを揃えて示されている。図６はケース蓋体１１ｂを中心で切った縦断面図である。
【０００９】
図３及び図４に示すように、内部カセット３０は、基材テープに塗膜がコーティングされた転写テープ３２を繰出す繰出しリール３３と、塗膜を被転写体に押圧して転写する転写ヘッド３１と、転写後の基材テープを巻取る巻取りリール３４及び両リールを連動させる連動機構（図示せず。）とを具え、ケース本体１１ａの後端開口部１３から装着される。
弾性体（ばね）４０は、ケース本体１１ａ内面の段部１６と、内部カセット３０に設けられた凸部３５との間に嵌挿され、内部カセット３０を後方（すなわち、転写ヘッド３１の反突出方向）へ付勢している。この弾性反発力が、内部カセット後端部３６を介して、繰出し筒５０に設けられた係止部５４又は螺旋カム５３の端部５５で受止められる構造になっている。
【００１０】
図５に示すように、繰出し筒５０の端部にはフランジ５１が、外周面には凸条５２が設けられ、内周には内部カセット３０後端部３６に設けられた突起３７を案内する螺旋カム５３及び突起３７を係止させる係止部５４が設けられている。  本明細書中の「螺旋カム」とは、内部カセットの軸方向への位置調整手段である螺旋状のカムを意味する。従って、本明細書中の「螺旋カム」には、図５に示した螺旋カム面の他、螺旋溝も含まれる。
なお、螺旋カム５３は中心軸に対称に２箇所設けられているが、図５では、二つのうちのひとつを省略して示している。
【００１１】
図３及び図４に示すように、繰出し筒５０の繰出操作部５６はケース蓋体１１ｂの開口部１７から常に突出し、繰出し筒５０は、フランジ５１と凸条５２の間で開口部１７に遊嵌され、周方向に回転する。図５に示すように繰出し筒５０のフランジ５１には突起５７が２箇所設けられており、これらが図６に示すケース蓋体１１ｂに設けられた回転止め１８に当接し、繰出し筒５０が１８０°以上回転しない構造になっている。
【００１２】
転写ヘッド３１がケース１１内に収められた状態では、内部カセット３０の突起３７は、繰出し筒５０内部の螺旋カム５３の端部５５に当接している。この状態で繰出操作部５６を回転させると、突起３７が螺旋カム５３のカム面に沿って移動することによって内部カセット３０が前進し、転写ヘッド３１がケース本体１１ａの先端開口部１２から繰出される。突起３７が螺旋カム５３の端部５５に当接している状態から繰出し筒５０を１８０°回転させると、弾性体４０の弾性反発力によって突起３７が螺旋カム５３の係止部５４に係止し、転写可能な状態が保持される。
【００１３】
次に、繰出し筒５０を上記と逆方向に回転させ、係止部５４から突起３７を脱出させると、転写可能な状態が解除され、弾性体４０の弾性反発力によって突起３７が螺旋カム５３のカム面に沿って後退する。突起３７が係止部５４に係止している状態から繰出し筒５０を１８０°回転させると、突起３７が螺旋カム５３の端部５５に当接し、転写ヘッド３１がケース１１内に収納される。
【００１４】
なお、この第１実施形態では、ケース１１後端で回転操作を行うよう構成したが、ケース１１先端で回転操作を行う構成にしてもよい（第２実施形態）。
図７は第２実施形態の塗膜転写具の分解斜視図である。この塗膜転写具２０では、繰出し筒５０’の繰出操作部５６’及び前端部５８が、ケース本体１１ａ’の先端開口部１２’から常に突出し、繰出し筒５０’は後端部５９で開口部１２’に遊嵌され、周方向に回転する。突起３７’は内部カセット３０’の前端に２箇所設けられており（図７では１箇所のみ示されている。）、突起３７’を案内する螺旋カム５３’及び係止部５４’は、繰出し筒５０’の後端部５９の内周に設けられている。なお、螺旋カム５３’は中心軸に対称に２箇所設けられているが、図７では、二つのうちのひとつを省略して示している。弾性体４０は、ケース本体１１ａ’内面の段部１６’（図示せず。）と内部カセット３０’に設けられた凸部３５’との間に挿嵌され、内部カセット３０’を後方へ付勢している。  
【００１５】
第１実施形態では、転写ヘッド３１をケース先端から繰出す操作とケース内部に収納する操作の繰出し筒５０の回転方向を逆にしたが、以下のように、転写ヘッド３１の出入れを同一方向の回転で行なうようにしてもよい。
突起３７’が螺旋カム５３’の端部５５’（図示せず。）に当接している状態から繰出し筒５０’を９０°回転させると、転写ヘッド３１が繰出し筒５０’の前端部５８から繰出され、弾性体４０の弾性反発力によって突起３７’が螺旋カム５３’の係止部５４’に係止し、転写可能な状態が保持される。さらに繰出し筒５０’を同一方向に回転させ、係止部５４’から突起３７’を脱出させると、転写可能な状態が解除され、弾性体４０の弾性反発力によって突起３７’が螺旋カム５３’のカム面に沿って移動し、転写ヘッド３１がケース１１内に収納される。
【００１６】
なお、以上の実施形態では、環境を考慮して内部カセット３０、３０’を交換可能にしてもよい。内部カセット３０、３０’を交換する場合には、ケース本体１１ａ、１１ａ’の係合部１４とケース蓋体１１ｂの係合部１５の係合を解除して、ケース本体１１開口部１３、１３’から内部カセット３０、３０’の取出し、装着を行う。
【００１７】
また、図２及び図７に示すように、内部カセット３０、３０’は、幅方向にほぼ対称形状であるから、ケース本体１１ａ、１１ａ’へ装着する際に、内部カセット３０、３０’の表と裏が逆でも装着することができる。従って、装着方向が一方向に限定された従来の内部カセットを用いる場合と比べて、カセット交換を速やかに行うことができる。
【００１８】
なお、実施形態１、２に示したケース本体１１ａ、１１ａ’、ケース蓋体１１ｂ、１１ｂ’、内部カセット３０、３０’、螺旋カム５３、５３’の形状は一例であり、上記に限定されない。
【００１９】
以上説明したように、本発明の塗膜転写具によれば、繰出操作部を回転させるだけで、転写ヘッドの出入れ操作を行うことができる。従って、使用者は、筆記具を用いる感覚で、転写ヘッドの出し入れを容易に、且つ、確実に行うことができる。
また、本発明の請求項２の発明によれば、内部カセットを交換してケースを再利用することができる。
また、請求項３の構成では、内部カセットの表と裏が逆でも装着することができるため、さらに使い勝手がよいものとなる。
【図面の簡単な説明】
【００２０】
【図１】本発明の塗膜転写具の第１実施形態の分解斜視図。
【図２】図２（ａ）は内部カセットの正面図、図２（ｂ）は内部カセットの側面図。
【図３】図３（ａ）は、第１実施形態の転写ヘッドがケース本体先端部から突出した状態を示す斜視図、図３（ｂ）は図３（ａ）の上面図、図３（ｃ）は図３（ｂ）のｃ−ｃ線断面図。
【図４】図４（ａ）は、第１実施形態の転写ヘッドがケース本体内部に収められた状態を示す斜視図、図４（ｂ）は図４（ａ）の上面図、図４（ｃ）は図４（ｂ）のｃ−ｃ線断面図。
【図５】図５（ａ）は繰出し筒の正面図、図５（ｂ）は繰出し筒の底面図、図５（ｃ）は図５（ｂ）のｃ−ｃ線断面図、図５（ｄ）は図５（ｂ）のｄ−ｄ線断面図。
【図６】ケース蓋体の縦断面図。
【図７】本発明の塗膜転写具の第２実施形態の分解斜視図。
【符号の説明】
【００２１】
１０，２０：塗膜転写具
１１：ケース
３０，３０’：内部カセット
３１：転写ヘッド
３２：転写テープ
３３：繰出しリール
３４：巻取りリール
３７，３７’：突起
４０：弾性体
５０，５０’：繰出し筒
５３，５３’：螺旋カム
５４，５４’：係止部
【図１】
2006289635.tif 000003
【図２】
2006289635.tif 000004
【図３】
2006289635.tif 000005
【図４】
2006289635.tif 000006
【図５】
2006289635.tif 000007
【図６】
2006289635.tif 000008
【図７】
2006289635.tif 000009